(57)【要約】【課題】  天井に不陸がある場合でも幕板を容易に取付けできる間仕切の提供。【解決手段】  ベース１とレール２と幕板３とを備え、ベース１は、天井４に取付く長尺材であり、レール２は、ベース１の下に取付けてあり、幕板３は、天井４にねじ止めされる取付部５を有し、取付部５の一方側端部６をベース１の他方側端部７に引っ掛けて下部がレール２の下から他方側に移動する向きで回転し、取付部５を天井４にねじ止めしてあり、取付部５の一方側端部６がベース１の他方側端部７と係合することで幕板３の見込方向の移動が規制され、ベース１の他方側端部７と幕板３の取付部５の一方側端部６との間に上下方向の隙間８を有する。【選択図】      図２
2020060049.tif 000002
【特許請求の範囲】
【請求項１】
ベースとレールと幕板とを備え、ベースは、天井に取付く長尺材であり、レールは、ベースの下に取付けてあり、幕板は、天井にねじ止めされる取付部を有し、取付部の一方側端部をベースの他方側端部に引っ掛けて下部がレールの下から他方側に移動する向きで回転し、取付部を天井にねじ止めしてあり、取付部の一方側端部がベースの他方側端部と係合することで幕板の見込方向の移動が規制され、ベースの他方側端部と幕板の取付部の一方側端部との間に上下方向の隙間を有することを特徴とする間仕切。
【発明の詳細な説明】
【技術分野】
【０００１】
本発明は、部屋の出入口等に設けられる間仕切に関する。
【背景技術】
【０００２】
従来の間仕切として、天井に戸の上部を案内するレールを取付けると共に、レールに沿って天井に幕板を取付けたものがあった（例えば、非特許文献１参照）。幕板は長い部材のため、一人で取付け作業を行うのは困難であり、二人の作業者が幕板の両端部を持ち、天井に押し付けながら下から天井にねじ止めしなければならないため、作業性が悪かった。また、天井には撓みや凹凸等の不陸があることがあり、その場合には幕板を天井に押し付けても幕板が安定しないことから、作業性がさらに悪くなっていた。
【先行技術文献】
【非特許文献】
【０００３】
【非特許文献１】三協立山株式会社 三協アルミ社発行のカタログ「アルミ製室内間仕切  スプレッツァ  組立・加工・施工マニュアル（ＳＴＪ０４４５Ｃ）」、２０１３年５月、ｐ．３３
【発明の概要】
【発明が解決しようとする課題】
【０００４】
本発明は以上に述べた実情に鑑み、天井に不陸がある場合でも幕板を容易に取付けできる間仕切の提供を目的とする。
【課題を解決するための手段】
【０００５】
上記の課題を達成するために請求項１記載の発明による間仕切は、ベースとレールと幕板とを備え、ベースは、天井に取付く長尺材であり、レールは、ベースの下に取付けてあり、幕板は、天井にねじ止めされる取付部を有し、取付部の一方側端部をベースの他方側端部に引っ掛けて下部がレールの下から他方側に移動する向きで回転し、取付部を天井にねじ止めしてあり、取付部の一方側端部がベースの他方側端部と係合することで幕板の見込方向の移動が規制され、ベースの他方側端部と幕板の取付部の一方側端部との間に上下方向の隙間を有することを特徴とする。
【発明の効果】
【０００６】
請求項１記載の発明による間仕切は、幕板の取付部の一方側端部をベースの他方側端部に引っ掛けて下部がレールの下から他方側に移動する向きで幕板を回転し、取付部の一方側端部がベースの他方側端部と係合することで幕板の見込方向の移動が規制されているので、幕板から手を離せるから一人でも幕板の取付作業が行える。さらに、幕板の取付部を天井にねじ止めすることで、幕板が外れにくい。しかも、ベースの他方側端部と幕板の取付部の一方側端部との間に上下方向の隙間を有することで、天井に不陸があっても問題なく幕板の取付部の一方側端部をベースの他方側端部に引っ掛けて回転させることができるので、幕板の取付けが容易に行える。
【図面の簡単な説明】
【０００７】
【図１】図４のＡ−Ａ断面図である。
【図２】図１の上枠側を拡大した図である。
【図３】図４のＢ−Ｂ断面図である。
【図４】本発明の一実施形態に係る間仕切の一方側から見た正面図である。
【図５】同間仕切の他方側から見た正面図である。
【図６】同間仕切の上枠部の施工手順を順に示す縦断面図である。
【図７】幕板の斜視図である。
【図８】（ａ）は間仕切の上枠を直角に交差して設置した例を示す平面図であり、（ｂ）はＸ方向矢視図、（ｃ）はＹ方向矢視図である。
【図９】図１１のＣ−Ｃ断面図である。
【図１０】図１１のＤ−Ｄ断面図である。
【図１１】本発明の他の実施形態に係る間仕切の一方側から見た正面図である。
【図１２】同間仕切の他方側から見た正面図である。
【発明を実施するための形態】
【０００８】
以下、本発明の実施の形態を図面に基づいて説明する。図１〜５は、本発明に係る間仕切の一実施形態を示している。この間仕切は、一方側の部屋と他方側の部屋の間の開口部９を一枚の引戸で開閉するものであり、図１，３，４に示すように、上枠１１と左右の縦枠１２，１２と引戸１０とを備えている。
【０００９】
上枠１１は、図１，２に示すように、それぞれアルミ形材で形成したベース１とレール２と幕板３とで構成される。ベース１は、天井４に取付く長尺材であり、天井４に当接してねじ止めされる取付部１３と、取付部１３の一方側及び他方側に天井４と間隔をあけて水平にのびる横壁１４ａ，１４ｂと、一方側の横壁１４ａの一方側端部に設けられ、上端が天井４に当接し下部がレール２の一方側に重合する垂下部１５を有している。他方側の横壁１４ｂの他方側端部には、図２に示すように、上向きに僅かに突出する突条１６が形成してある。
【００１０】
レール２は、引戸１０の上部に取付けた吊り戸車１７を案内するものであり、図２に示すように、ベース１の下に配置して天井４にねじ１８で取付けられる。図中の符号１９は、天井４に撓みや凹凸等の不陸が有る場合に、レール２を水平にまっすぐ取付けるためにベース１とレール２間に必要に応じて差し込まれるかい木である。かい木１９を介在することで生じるベース１とレール２間の隙間は、一方側から見たときにはベース１の垂下部１５で隠れ、他方側から見た時には幕板３で隠れている。
【００１１】
幕板３は、開口部９の間口にベース１の他方側に沿って設けてあり、図２に示すように、天井４にねじ２０で取付けられる取付部５と、取付部５の他方側端より垂下する垂下壁２１とを有する略Ｌ形断面となっている。垂下壁２１の下部は、引戸１０の上端より下までのびており、他方側から見るとレール２と引戸１０の間の隙間が垂下壁２１で隠れている。
取付部５の一方側端部６には、一方側に斜め下向きにのびる傾斜突片２２と、傾斜突片２２の他方側に離間して設けた下向き突片２３とを有している。傾斜突片２２は、下端部が下向きに曲がっており、その下端がベース１の横壁１４ｂに当接ないし近接している。下向き突片２３は、ベース１の他方側端部７の他方側に当接している。
幕板３は、取付部５の一方側端部６に形成された傾斜突片２２と下向き突片２３が、ベース１の横壁１４ｂの他方側端部の突条１６と係合することで、見込方向の移動が規制されている。また、ベース１の他方側端部７と幕板３の取付部５の一方側端部６との間には、上下方向の隙間８を有している。
【００１２】
さらに幕板３は、図７に示すように、取付部５にねじ２０の挿通孔２４が長手方向に間隔をおいて複数形成してあると共に、ねじ挿通孔２４同士の間ごとに、取付部５の一方側端部から他方側に向くスリット２５が形成してある。このようにスリット２５が形成してあることで、不陸のある天井４に取付部５をねじ止めしたときに、幕板３にゆがみが生じて垂下壁２１の下部が一方側や他方側に変位するのを防止できる。
【００１３】
引戸１０は、図１に示すように、上部の２箇所に吊り戸車１７が取付けられ、各吊り戸車１７をレール２に案内してレール２に吊り下げて支持してある。床面２９には閉鎖位置にある引戸１０の戸尻側の位置に振れ止め２６が取付けられ、振れ止め２６を引戸１０の下面に形成した溝２７に案内して、引戸１０の下部の振れを規制している。
【００１４】
次に、本間仕切の施工手順を説明する。まず、図６（ａ）に示すように、天井４にベース１をねじ２８で取付ける。次に、縦枠１２を取付ける。次に、レール２に吊り戸車１７を挿入した上で、図６（ｂ）に示すように、ベース１の下にレール２をねじ１８で取付ける。その際、天井４に不陸が有る場合は、図６（ｃ）に示すように、他方側からベース１とレール２の間にかい木１９を差し入れ、レール２が水平になるように調整する。ベース１に垂下部１５が他方側のみに形成してあり、かい木１９を他方側からまっすぐ挿入できるので、調整が容易である。次に、図６（ｄ）に示すように、幕板３の取付部５の一方側端部６をベース１の他方側端部７に引っ掛け、図中に矢印で示すように、幕板３をその下部がレール２の下から他方側に移動する向きで回転させる。すると、図６（ｅ）に示すように、幕板３の取付部５の一方側端部６がベース１の他方側端部７と係合して幕板３の見込方向の移動が規制され、手を離しても幕板３が落ちてこない状態になるので、その状態で取付部５をねじ２０で天井４に固定する。その後、床面２９に振れ止め２６を取付け、振れ止め２６を下面の溝２７に係合させて引戸１０をレール２と床面２９間に建て込み、吊り戸車１７を引戸１０に固定する。
【００１５】
以上に述べたように本間仕切は、幕板３の取付部５の一方側端部６をベース１の他方側端部７に引っ掛けて下部がレール２の下から他方側に移動する向きで幕板３を回転し、取付部５の一方側端部６がベース１の他方側端部７と係合することで幕板３の見込方向の移動が規制されているので、幕板３から手を離せるから一人でも幕板３の取付作業が行える。さらに、幕板３の取付部５を天井４にねじ止めすることで、幕板３が外れにくい。しかも、ベース１の他方側端部７と幕板３の取付部５の一方側端部６との間に上下方向の隙間８を有することで、天井４に不陸があっても問題なく幕板３の取付部５の一方側端部６をベース１の他方側端部７に引っ掛けて回転させることができるので、幕板３の取付けが容易に行える。
幕板３は、取付部５に一方側端部から他方側に向くスリット２５が長手方向に間隔をおいて複数設けてあることで、取付部５が曲がりやすいため、不陸がある天井４に幕板３を取付ける際の作業性が一層向上する。
【００１６】
図８は、以上に説明した間仕切の応用例であって、部屋のコーナー部等に二組の間仕切を端部を交差して設置する場合を示している。一方の間仕切の上枠１１ａは、これまでに説明したものと同様に一枚の引戸１０を案内するものであり、他方の間仕切の上枠１１ｂは、３枚の引戸１０，１０，１０を案内するものとなっており、一方の間仕切りの上枠１１ａよりもベース１ｂとレール２ｂの見込寸法が大きくなっている。
一方の間仕切の上枠１１ａのベース１ａは、端部が斜めに切断され、他方の上枠１１ｂのベース１ｂは、端部が一部斜めに切断され、互いの斜めに切断した部分同士を突き合わせてある。一方の間仕切の上枠１１ａのレール２ａと他方の間仕切りの上枠１１ｂのレール２ｂは、何れも端部がまっすぐに切断され、一方の間仕切りの上枠１１ａのレール２ａの端部を他方の間仕切の上枠１１ｂのレール２ｂの側面に当接している。一方の間仕切の上枠１１ａの幕板３ａと他方の間仕切の上枠１１ｂの幕板３ｂは、何れも取付部５が斜めに切断され、斜めに切断した部分同士を突き合わせてある。
このように本間仕切は、レール２ａ，２ｂの見込寸法の異なる上枠１１ａ，１１ｂ同士を交差して設置することができ、各レール２ａ，２ｂは端部を斜めに切断しなくてよいため、施工性が良い。
【００１７】
図９〜１２は、本発明の間仕切の他の実施形態を示している。本実施形態は、二つ折りになる折戸３０で開口部９を開閉するものである。上枠１１は、先に説明した実施形態と同様に、図９に示すように、天井４に取付くベース１と、ベース１の下に取付けられるレール２と、ベース１の他方側で天井４に取付く幕板３とで構成されている。幕板３は、折戸３０を開けたときに折戸３０の上部と当らないように、垂下壁２１が短くなっている。
床面２９には、レール３１が取付けられ、折戸３０の下端より突設したローラー３２をレール３１の溝３３に係合している。
【００１８】
本発明の間仕切は、ベース１とレール２と幕板３とを備え、ベース１は、天井４に取付く長尺材であり、レール２は、ベース１の下に取付けてあり、幕板３は、一方側端部にベース１と係合する係合部を有する上壁（取付部５）を有し、上壁に一方側端部から他方側に向くスリット２５が長手方向に間隔をおいて複数設けてあるものであってもよい。
上記構成の間仕切は、幕板３の上壁に一方側端部から他方側に向くスリット２５が長手方向に間隔をおいて複数設けてあることで、幕板３の上壁が曲がりやすいため、不陸がある天井４に幕板３を取付ける際の作業性が良い。幕板３は、図６に示すように、ベース１の他方側端部７に引っ掛けてから回転して取付けるものに限らず、例えば他方側から一方側に向けてまっすぐスライドして上壁の係合部をベース１と係合して取付けるものであってもよい。また幕板３は、天井４にねじ止めしないものであってもよい。
【００１９】
また、本発明の間仕切は、レール２と、レール２の片側又は両側に取付けた幕板３とを備え、幕板３は天井４にねじ止めされるねじ止め部（取付部５）を有し、ねじ止め部にレール２側の端部から他方側に向くスリット２５が長手方向に間隔をおいて複数設けてあるものであってもよい。
上記構成の間仕切は、幕板３のねじ止め部にレール２側の端部から他方側に向くスリット２５が長手方向に間隔をおいて複数設けてあることで、幕板３のねじ止め部が曲がりやすいため、不陸がある天井４に幕板３を取付ける際の作業性が良い。
【００２０】
本発明は以上に述べた実施形態に限定されない。幕板は、取付部の一方側端部をベースの他方側端部に引っ掛けて上向きに回転したときに、幕板から手を離してもその姿勢を保持できるものであってもよいし、手を離すと自重により逆向きに回転するがベースとの係合は維持されて落下しないものであってもよい。ベース、レール及び幕板の断面形状、材質は、適宜変更することができる。縦枠は、省略することもできる。戸の構造は任意である。本発明は、部屋と部屋の間の開口部を仕切るものに限らず、一つの部屋の内部を仕切るものなど、室内の間仕切に広く適用できる。
【符号の説明】
【００２１】
１  ベース
２  レール
３  幕板
４  天井
５  取付部
６  取付部の一方側端部
７  ベースの他方側端部
８  隙間
【図１】
2020060049.tif 000003
【図２】
2020060049.tif 000004
【図３】
2020060049.tif 000005
【図４】
2020060049.tif 000006
【図５】
2020060049.tif 000007
【図６】
2020060049.tif 000008
【図７】
2020060049.tif 000009
【図８】
2020060049.tif 000010
【図９】
2020060049.tif 000011
【図１０】
2020060049.tif 000012
【図１１】
2020060049.tif 000013
【図１２】
2020060049.tif 000014